(57)【要約】【課題】モバイル端末装置に不慣れなユーザでもパスワードを簡単に生成することができ、かつパスワード自体を記憶していなくてもパスワードを容易に再生することができるようにする【解決手段】画像情報テーブルから１つの画像を表示するステップと、画像情報テーブルのパスワード情報に従って表示された画像を予め定められた形に分割して分割画像として表示するステップと、入力制御手段から渡された入力信号に従い分割画像の少なくとも１つを基準値として選択し、基準値の設定された分割画像について他の分割画像との入替えを行い、入替え後の分割画像によって構成される画像の各分割画像が位置情報を持って構成されるパスワード画像を表示するステップと、パスワード画像の各分割画像の配置もしくは入替えの経路又はそれらの双方でもって各分割画像の位置情報に基づいてパスワードを生成するステップと、を備える。【選択図】図２
2007094682.tif 000002
【特許請求の範囲】
【請求項１】
画面表示手段によって、入力制御手段から渡された入力信号に従いモバイル端末装置の画面に、格納された画面情報テーブルから１つの画面を表示するステップと、
画面分割表示手段によって、画面情報テーブルのパスワード情報に従って表示された画面を予め定められた形に分割して分割画面として表示するステップと、
分割画面入替処理手段によって、入力制御手段から渡された入力信号に従い分割画面の少なくとも１つを基準値として選択し、基準値の設定された分割画面について他の分割画面との入替えを行い、入替え後の分割画面によって構成される画面の各分割画面が位置情報を持って構成されるパスワード画面を表示するステップと、
パスワード生成手段によって、パスワード画面の各分割画面の配置もしくは入替えの経路又はそれらの双方でもって各分割画面の位置情報に基づいてパスワードを生成するステップと、を備えること
を特徴とするモバイル端末装置におけるパスワード生成方法。
【請求項２】
請求項１に記載するパスワード生成方法によって生成されたパスワードによるパスワード認証方法において、
登録手段によって生成されたパスワードを登録するステップと、
パスワード認証手段によって、前記入力制御手段と、前記画面表示手段と、画面分割表示手段と、分割画面入替処理手段と、パスワード生成手段とを用いて比較用のパスワードを生成するステップと、および登録されたパスワードに対して比較用のパスワードの同一性を判定するステップと、を行うことを特徴とするモバイル端末装置におけるパスワード認証方法。
【請求項３】
入力制御手段から渡された入力信号に従いモバイル端末装置の画面に、格納された画面情報テーブルから１つの画面を表示する画面表示手段と、
画面情報テーブルのパスワード情報に従って表示された画面を予め定められた形に分割して分割画面として表示する画面分割表示手段と、
入力制御手段から渡された入力信号に従い分割画面の少なくとも１つを基準値として選択し、基準値の設定された分割画面について他の分割画面との入替えを行い、入替え後の分割画面によって構成される画面の各分割画面が位置情報を持って構成されるパスワード画面を表示する分割画面入替処理手段と、
パスワード画面の各分割画面の配置もしくは入替えの経路又はそれらの双方でもって各分割画面の位置情報に基づいてパスワードを生成するパスワード生成手段と、を備えること
を特徴とするモバイル端末装置におけるパスワード生成装置。
【請求項４】
請求項３に記載するパスワード生成装置によって生成されたパスワードによるパスワード認証装置において、
生成されたパスワードを登録する登録手段と、
前記入力制御手段と、前記画面表示手段と、画面分割表示手段と、分割画面入替処理手段と、比較用のパスワードを生成するパスワード生成手段を用いて、登録されたパスワードに対して比較用のパスワードの同一性を判定するパスワード認証手段と、を備えることを特徴とするモバイル端末装置におけるパスワード認証装置。
【請求項５】
請求項１または３において、前記画面分割表示手段によって、前記画面に表示された画面を縦横３×３から５×５の範囲内に分割して分割画面として表示することを特徴とするモバイル端末装置におけるパスワード生成方法またはパスワード認証方法。
【請求項６】
請求項１または３において、前記基準値は表示された分割画面の最外周にある１つの分割画面もしくは中央部にある分割画面が選択されることを特徴とするモバイル端末装置におけるパスワード生成方法またはパスワード認証方法。
【請求項７】
請求項１、３または６のいずれかにおいて、前記基準値として選択された分割画面について基準値として選択された分割画面であることを示す表示を行い、該表示は分割画面の入替えに伴い基準値の分割画面と共に移動することを特徴とするモバイル端末装置におけるパスワード生成方法またはパスワード認証方法。
【発明の詳細な説明】
【技術分野】
【０００１】
本発明は、モバイル装置によるパスワード生成方法，パスワード認証方法，並びにパスワード生成装置およびパスワード認証装置に関する。
【背景技術】
【０００２】
携帯電話機あるいはＰＤＡ（Ｐｅｒｓｏｎａｌ  Ｄｉｇｉｔａｌ  Ａｓｓｉｓｔａｎｔｓ，携帯情報機器）などのモバイル端末装置におけるパスワードは、一般的にユーザに数字あるいは文字を複数桁入力させることによって実現している。
【０００３】
特許文献１には、コンピュータにパスワードを入力する際に参照されるパスワード入力用テーブルを作成するパスワード入力用テーブル作成方法であって、１文字の入力域となる複数の記入欄を持つ作成用テーブルをディスプレイに表示する過程と、対話処理に従って、上記作成用テーブルの持つ記入欄に、コンピュータに入力されることになるパスワードを構成するそれぞれの文字を記入する過程と、上記作成用テーブルの持つ文字未入力の記入欄に、パスワードに用いられる可能性のある文字をランダムに記入することで、パスワード入力用テーブルを作成する過程と、上記作成したパスワード入力用テーブルを出力する過程とを備えるパスワード入力用テーブル作成方法が記載されている。
【０００４】
特許文献２には、入力された文字列によるパスワード及び他データを用いて認証処理を行なう認証方法において、前記パスワードを構成する文字列から所定規則に従って前記他データ中に複数のデータを読み出し、読み出された複数のデータの組み合わせを認証用パスワードとして認証処理を行うパスワードを用いた認証方法が記載されている。
【０００５】
特許文献３には、画面上に表示された絵の中の対象物の一点をポインティングデバイスにより指定すると、指定された点を含む対象物部分の拡大された絵が表示され、その拡大された絵の中の一点をポインティングデバイスにより指定するという操作を複数回繰り返すことによりパスワードを入力するパスワード入力手段と、前記パスワード入力手段により入力されたパスワードをあらかじめ設定されている登録パスワードと比較照合するパスワード照合手段とを備えたパスワード照合方式が記載されている。
【０００６】
【特許文献１】特開２００４−２６５３５９号公報
【特許文献２】特開２００４−１３９１６６号公報
【特許文献３】特許第２８９１２０６号公報
【発明の開示】
【発明が解決しようとする課題】
【０００７】
数字あるいは文字を複数桁入力することによってパスワードを生成することはモバイル端末装置の操作に不慣れなユーザが入力を行うことには困難がある。独特な文字入力方法を取り入れている携帯電話機もあるが、パスワードの入力の容易さがデバイスに依存している。また、パスワードが文字列のみの場合、記憶することが困難である。
【０００８】
本発明は、かかる点に鑑みモバイル端末装置に不慣れなユーザでもパスワードを簡単に生成することができ、デバイスに依存することなく簡単に操作することができ、かつパスワード自体を記憶していなくてもパスワードを容易に再生することのできるモバイル装置におけるパスワード生成方法および装置並びに生成したパスワードによる確実な認証方法および装置を提供することを目的とする。
【課題を解決するための手段】
【０００９】
本発明は、画面表示手段によって、入力制御手段から渡された入力信号に従いモバイル端末装置の画面に、格納された画面情報テーブルから１つの画面を表示するステップと、
画面分割表示手段によって、画面情報テーブルのパスワード情報に従って表示された画面を予め定められた形に分割して分割画面として表示するステップと、
分割画面入替処理手段によって、入力制御手段から渡された入力信号に従い分割画面の少なくとも１つを基準値として選択し、基準値の設定された分割画面について他の分割画面との入替えを行い、入替え後の分割画面によって構成される画面の各分割画面が位置情報を持って構成されるパスワード画面を表示するステップと、
パスワード生成手段によって、パスワード画面の各分割画面の配置もしくは入替えの経路又はそれらの双方でもって各分割画面の位置情報に基づいてパスワードを生成するステップと、を備えること
を特徴とするモバイル端末装置におけるパスワード生成方法を提供する。
【００１０】
また、上述するパスワード生成方法によって生成されたパスワードによるパスワード認証方法において、
登録手段によって生成されたパスワードを登録するステップと、
パスワード認証手段によって、前記入力制御手段と、前記画面表示手段と、画面分割表示手段と、分割画面入替処理手段と、パスワード生成手段とを用いて比較用のパスワードを生成するステップと、および登録されたパスワードに対して比較用のパスワードの同一性を判定するステップと、を行うことを特徴とするモバイル端末装置におけるパスワード認証方法を提供する。
【００１１】
本発明は、入力制御手段から渡された入力信号に従いモバイル端末装置の画面に、格納された画面情報テーブルから１つの画面を表示する画面表示手段と、
画面情報テーブルのパスワード情報に従って表示された画面を予め定められた形に分割して分割画面として表示する画面分割表示手段と、
入力制御手段から渡された入力信号に従い分割画面の少なくとも１つを基準値として選択し、基準値の設定された分割画面について他の分割画面との入替えを行い、入替え後の分割画面によって構成される画面の各分割画面が位置情報を持って構成されるパスワード画面を表示する分割画面入替処理手段と、
パスワード画面の各分割画面の配置もしくは入替えの経路又はそれらの双方でもって各分割画面の位置情報に基づいてパスワードを生成するパスワード生成手段と、を備えること
を特徴とするモバイル端末装置におけるパスワード生成装置を提供する。
【００１２】
また、上述するパスワード生成装置によって生成されたパスワードによるパスワード認証装置において、
生成されたパスワードを登録する登録手段と、
前記入力制御手段と、前記画面表示手段と、画面分割表示手段と、分割画面入替処理手段と、比較用のパスワードを生成するパスワード生成手段を用いて、登録されたパスワードに対して比較用のパスワードの同一性を判定するパスワード認証手段と、を備えることを特徴とするモバイル端末装置におけるパスワード認証装置を提供する。
【００１３】
また、上述するパスワード生成方法またはパスワード認識方法において、前記画面分割表示手段によって、前記画面に表示された画面を縦横３×３から５×５の範囲内に分割して分割画面として表示することを特徴とするモバイル端末装置におけるパスワード生成方法またはパスワード認証方法を提供する。
【００１４】
また、上述するパスワード生成方法またはパスワード認識方法において、前記基準値は表示された分割画面の最外周にある１つの分割画面もしくは中央部にある分割画面が選択されることを特徴とするモバイル端末装置におけるパスワード生成方法またはパスワード認証方法を提供する。
【００１５】
また、上述するパスワード生成方法またはパスワード認証方法において、前記基準値として選択された分割画面について基準値として選択された分割画面であることを示す表示を行い、該表示は分割画面の入替に伴い基準値の分割画面と共に移動することを特徴とするモバイル端末装置におけるパスワード生成方法またはパスワード認証方法を提供する。
【発明の効果】
【００１６】
本発明にあっては、格納された画像を任意に分割し、分割された画像を任意に入替え、各分割画像の有する位置情報を使用してパスワードを生成するようにしているので、数字あるいは文字を入力することを要さず、機器に不慣れなユーザでもパスワードを簡単に入力することができ、デバイスに依存することなく操作を簡単に行うことができ、かつ画像を用いることで、パスワード自体を記憶することを要せずパスワードを直感的に再生することのできるモバイル装置におけるパスワード生成方法およびパスワード生成装置を提供することができる。
【発明を実施するための最良の形態】
【００１７】
本実施例によって構成されるモバイル端末装置におけるパスワード生成方法は、
画像表示手段によって、入力制御手段から渡された入力信号に従いモバイル端末装置の画像に、格納された画像情報テーブルから１つの画像を表示するステップと、
画像分割表示手段によって、画像情報テーブルのパスワード情報に従って表示された画像を予め定められた形に分割して分割画像として表示するステップと、
分割画像入替処理手段によって、入力制御手段から渡された入力信号に従い分割画像の少なくとも１つを基準値として選択し、基準値の設定された分割画像について他の分割画像との入替えを行い、入替え後の分割画像によって構成される画像の各分割画像が位置情報を持って構成されるパスワード画像を表示するステップと、
パスワード生成手段によって、パスワード画像の各分割画像の配置もしくは入替えの経路又はそれらの双方でもって各分割画像の位置情報に基づいてパスワードを生成するステップと、を備える。
【００１８】
上述のパスワード生成方法によって生成されたパスワードによるパスワード認証方法は、
登録手段によって生成されたパスワードを登録するステップと、
パスワード認証手段によって、前記入力制御手段と、前記画像表示手段と、画像分割表示手段と、分割画像入替処理手段と、パスワード生成手段とを用いて比較用のパスワードを生成するステップと、および登録されたパスワードに対して比較用のパスワードの同一性を判定するステップと、を行うことを特徴とする。
【００１９】
本実施例に構成されるモバイル端末装置におけるパスワード生成装置は、
入力制御手段から渡された入力信号に従いモバイル端末装置の画像に、格納された画像情報テーブルから１つの画像を表示する画像表示手段と、
画像情報テーブルのパスワード情報に従って表示された画像を予め定められた形に分割して分割画像として表示する画像分割表示手段と、
入力制御手段から渡された入力信号に従い分割画像の少なくとも１つを基準値として選択し、基準値の設定された分割画像について他の分割画像との入替えを行い、入替え後の分割画像によって構成される画像の各分割画像が位置情報を持って構成されるパスワード画像を表示する分割画像入替処理手段と、
パスワード画像の各分割画像の配置もしくは入替えの経路又はそれらの双方でもって各分割画像の位置情報に基づいてパスワードを生成するパスワード生成手段と、を備える。
【００２０】
上述するパスワード生成装置によって生成されたパスワードによるパスワード認証装置は、
生成されたパスワードを登録する登録手段と、
前記入力制御手段と、前記画像表示手段と、画像分割表示手段と、分割画像入替処理手段と、比較用のパスワードを生成するパスワード生成手段を用いて、登録されたパスワードに対して比較用のパスワードの同一性を判定するパスワード認証手段と、を備えることを特徴とする。
【００２１】
前記画像分割表示手段によって、前記画像に表示された画像を縦横３×３から５×５の範囲内に分割して分割画像として表示することを特徴とする。
【００２２】
前記基準値は表示された分割画像の最外周にある１つの分割画像もしくは中央部にある分割画像が選択されることを特徴とする。
【００２３】
前記基準値として選択された分割画像について基準値として選択された分割画像であることを示す表示を行い、該表示は分割画像の入替に伴い基準値の分割画像と共に移動すること特徴とする。
【００２４】
以下、本発明による実施例について図面を参照して説明する。
【実施例】
【００２５】
図１は、本実施例の概略を説明する図である。図２は図１に示す画像を容易にするために外形線で同一画像を表示するものであるが、図２に示す画像自体を採用するようにしてもよい。図１あるいは図２において、携帯電話機においてパスワードを生成する方法を示す。携帯電話機１には入力画像２が格納されているものとする。本実施例にあっては、図１あるいは図２に示すように特に格納された画像を対象とするが、文字，数字，記号が羅列されて画像と同様な配置になる場合にも適用でき、図１あるいは図２に示すような画像を対象とする場合には「画像」と既述し、画像の他に上述のように羅列された文字，数字，記号をも対象とする場合には「画面」として記述する。ここでは以下、「画像」について説明し、必要に応じて「画面」についても説明する。
【００２６】
パスフレーズの生成手順は次の通りである。
１．１枚の画像を縦と横にＮ分割した画像小片（分割画像）を全て表示し、その内の１つ
をユーザが扱える画像小片（画像小片Ａ）とする。
２．画像小片Ａに対し、隣接する画像小片をユーザが指定することで、画像小片の入替え
を行う。ＰＤＡの場合、隣接する画像小片をタップする携帯電話機の場合、隣接する
画像小片の方向キーを入力することを行う。
３．上述の２の手順を数回繰り返し、画像小片Ａを動かした順序あるいは配置を基にパス
ワードの生成を行う。
【００２７】
具体的に説明すると、図１または図２において縦と横にそれぞれ３分割した画像で、１回目に画像小片Ａと画像小片Ｂを入替えた場合に（１Ｂ）というフレーズを生成することが可能である。２回目に画像小片Ａと画像小片Ｃを入替えた場合、（２Ｃ）というフレーズを生成できる。何度か繰り返すことで“１Ｂ２Ｃ３Ｆ４Ｅ５Ｈ”などのパスワード３の生成が行える。
【００２８】
また、画像の入替え順序にも意味があるため、“１Ｂ２Ａ”は元の画像配置に戻るが、異なるパスワードが生成される。
【００２９】
従来の方法であると、０〜９の１０個のキーから選択して入力することが必要であるが、本実施例の手法によれば、携帯電話機の場合、４つの方向キー（上下左右）のみで可能であり、ＰＤＡではタップするだけで可能になる。
【００３０】
以下、図３−図１０を使用して更に詳細に説明する。図３は、モバイル端末装置、例えば図１と同様に携帯電話機１におけるパスワード生成方法，装置およびパスワード認証方法，装置を示す。この携帯電話機１は、内部に入力制御手段（機能）１１，画像処理手段１２，パスワード生成手段（機能）１７，パスワード認証手段（機能）１８，パスワード発信手段（機能）１９および記憶手段（機能）２０を有する。パスワード発信手段は選択的な手段であり、なくてもよい。
【００３１】
画像処理手段１２は、内部に機能的に、画像表示手段１３，画像分割表示手段１４，分割画像入替処理手段１５および登録手段１６を有する。
【００３２】
分割画像入替処理手段１５は、基準値の選択的機能、分割画像である画像小片の入替処理機能および分割画像によって生成されるパスワード画像表示機能を有する。
【００３３】
画像表示手段１３によって表示され、画像分割表示手段１４によって表示される分割画像のそれぞれには配置に対応した位置情報が付与されており、これらの位置情報は記憶手段２０に記憶されており、入替え後の配置に対応する位置情報も記憶され、分割画像の入替え順序にも意味があるために配置変更に伴う入替え順序が各分割画像に付与された位置情報を使用して記憶手段２０に記憶される。上述の双方の位置情報を記憶してもよいし、片方の位置情報を記憶するようにしてもよい。なお、上述したように羅列した文字，数字，記号の場合には、「画像」を「画面」に読み替えるものとし、ここでは「画像」について説明する。
【００３４】
各手段の機能は次の通りである。
画像表示手段１３は、入力制御手段１１から渡された入力信号に従いモバイル端末装置の画面に、格納された画像情報テーブルから１つの画像を表示する。
【００３５】
画像分割表示手段は、画像情報テーブルのパスワード情報に従って表示された画像を予め定められた形に分割して分割画像として表示する。
【００３６】
分割画像入替処理手段１５は、入力制御手段から渡された入力信号に従い分割画像の少なくとも１つを基準値として選択し、基準値の設定された分割画像について他の分割画像との入替えを行い、入替え後の分割画像によって構成される画像の各分割画像が位置情報を持って構成されるパスワード画像を表示する。
【００３７】
パスワード生成手段１７は、パスワード画像の各分割画像の配置もしくは入替えの経路又はそれらの双方でもって各分割画像の位置情報に基づいてパスワードを生成する。
【００３８】
登録手段は生成されたパスワードを記憶手段２０に登録する。
【００３９】
パスワード認証手段１８と、上述の入力制御手段１１と、画像表示手段１３と、画像分割表示手段１４と、分割画像入替処理手段１５と、パスワード生成手段とを用いて比較用のパスワードを生成し、認証用のパスワードと比較用のパスワードを比較して両者の同一性判定を行う。すなわち、比較用のパスワードの生成のために同一手段を使用することを行う。
【００４０】
入力制御手段１１は、ユーザの入力を受け付け、その入力内容を画像処理手段１２に渡す。入力デバイスは、携帯電話機の十字キーやＰＤＡのタッチパネルである。
【００４１】
図４において、本実施例ではパスワード生成を画像２で実現するために記憶手段２０に格納された画像表示を行う（イ）。このとき、画像はプログラムによって自動的にあるいは入力制御手段１１による指示によって表示された画像２を分割して（ロ）、表示を行う（ハ）。
【００４２】
なお、画像表示手段１３は適宜格納された画像２を画面に表示し得る。また、このようにして確定された画像は、画面に表示するに際して直接的に分割された状態で表示され得る。
【００４３】
入力制御手段１１から渡されたキー入力に従い、分割画像の入替えを行う（ニ）。そして、入替えられた分割画像から構成される画像をパスワード画像として表示する（ニ）。この画像の分割、表示、入替え処理、パスワード画像表示を画像処理手段１２が実現する。
【００４４】
パスワード生成手段１７は、入替え処理を行い、表示されたパスワード画像の各分割画像の持つ位置情報を基にパスワードを生成する。パスワードの生成方法は多数考えられる。図５にそれらの例を示す。
【００４５】
図５に入替え終了後のパスワード画像が示されたとする。このパスワード画像は縦横３×３の分割画像からなり、各分割画像単位で縦軸をＡＢＣ、横軸を１２３で表現するか最終的なパスワード画像の配置でパスワードを生成する場合、
２５３４８６１７９
あるいはＡ１２Ａ２５Ａ３３Ｂ１４Ｂ２８Ｂ３６Ｃ１１Ｃ２７Ｃ３９
がパスワードとして生成され得る。
【００４６】
また、経路でパスワードを生成する場合、
Ａ１Ａ２Ｂ２Ｃ２Ｃ１
あるいは右下下左
がパスワードとして生成され得る。いずれかのパスワードが採用され、登録手段１６によって記憶手段２０に登録される。
【００４７】
次にパスワード認証について説明する。
パスワード認証手段１８は、ユーザが入力したパスワードの認証を行う。
【００４８】
パスワード認証手段１８は、上述の入力制御手段１１と、画像表示手段１３と、画像分割表示手段１４と、分割画像入替処理手段１５と、パスワード生成手段１７とを用いて比較用のパスワードを生成し、そして登録されたパスワードに対して比較用のパスワードの同一性を判定することを行う。
【００４９】
パスワードの認証には、入力制御手段１１によってユーザに適切な画像を選択させる、適切な基準値を選択させる適切な分割数を選択させる、適切に分割画像の入替えを行わせるステップを順次踏ませることでパスワードを生成したときのパスワードと同一の比較パスワ−ドを生成することができ安全性を高めることができる。
【００５０】
図６は認証成功した場合（図６（ａ））と、認証失敗した場合（図６（ｂ））を示す。図６（ａ）においてパスワード画像Ａについてパスワードが登録されたとする。認証時に適切にパスワード画像Ａが選択され、正しいステップを踏むことによって比較パスワードはパスワード画像Ａによって生成されたパスワードと比較され、同一性が認められて認証が成功する。
【００５１】
これに対して、図６（ｂ）に示すように、パスワード画像Ｂについてパスワードが登録されたとする。認証時に不適切なパスワード画像Ａが選択され、同一のステップを踏んでも比較パスワードはパスワード画像Ｂによって生成されたパスワードと比較されると同一性が認められず、認証が失敗することになる。ユーザに画像の分割数を選択させることで、パスワードを生成した時の分割数と同じでなければ認証失敗となる処理となる。なお、システムが分割数を決めるような場合には、分割数の情報を持つ必要がないことになる。
【００５２】
認証成功の場合には、携帯電話機１に内蔵された各種データを読み出すことができるが、認証失敗の場合には、内蔵された各種データを読み出すことができないことになる。
【００５３】
図７は、携帯電話機１の画面に表示される画像の分割の状態を示す。図７（ａ）に示す例は図１等に示す例であり、画像は縦横それぞれ３つずつに分割された例である。すなわち３×３の例である。縦横同一数でなくてもよい。
【００５４】
図７（ｂ）の例は、縦横９×６に分割した例を示す。モバイル端末装置における画像の分割を行うのに画面の大きさを考慮すると縦横３×３から５×５の範囲内において分割するのが操作上望ましいと言える。
【００５５】
図８は、データ構造図である。記憶手段２０に格納されるデータ構造は画像情報１〜画像情報ｎ（２１）からなる。例えば、画像情報３は、画像情報２２とパスワード情報２３からなる。画像情報は前述したように各種の画像である。この画像には、羅列された文字，数字，記号が使用され得る。すなわち、羅列された文字，数字あるいは記号から構成される初期情報の変換であり、分割可能な文字，数字，記号を使用した配列の変更である。従って、このような場合にあっても画像と同様に取り扱うことができる。勿論写真などの画像を供用する方がユーザにとって視覚的に記憶しておき易く、便利である。例えば、家族などの画像を使えるからである。
【００５６】
図９はパスワード情報２３の内容を示す。パスワード情報２３は、基準値２４，分割数２５およびキー入力から生成するパスワード情報２６からなる。
【００５７】
図１０は、データ構造が使用されてパスワードが生成される過程を示す。図１０（ａ）の場合、縦横３×３の分割画像が採用され、Ａ１が基準値である分割画像（イ）であるとする（○印で示す）。すなわち、左上が基準値となった例である。ユーザは入力制御手段１１の右キー入力によって基準値の付けられた分割画像（○印）を隣りの２Ａ（△印）の分割画像と入替えることができ、入替えたとする（ロ）。○印のついた分割画像はＡ２の位置に配置される。次に、ユーザは下キー入力によって（ハ）に示す分割画像配置を構成することができる。基準値である分割画像の有する位置情報によってパスワードの１例としてＡ１Ａ２Ｂ２が形成される。図１０（ｂ）は、真ん中（中央部）が基準値となった場合を示す。右キー入力し、更に下キー入力することによってパスワード例Ｂ２Ｂ３Ｃ３が形成されることになる。
【００５８】
このように、基準値として表示された分割画像の最外周にある１つの分割画像もしくは中央部にある分割画像が選択されるパスワード生成方法またはパスワード認証方法が構成される。
【００５９】
また、基準値として選択された分割画像について基準値として選択された分割画像であることを示す表示を行い、該表示は分割画像の入替に伴い基準値の分割画像と共に移動するようにしたパスワード生成方法またはパスワード認証方法が構成される。
【００６０】
図１１は、パスワード登録時の動作を示すフローチャートである。
【００６１】
Ｓ１の画像一覧の表示において、システムは、認証に採用する画像の一覧を表示する。画像に代えて羅列された文字，数字，記号による画面であってもよい。
【００６２】
Ｓ２の選択画像の表示において、システムはユーザが選択した画像を保存し、画面に表示する。ただし、これはユーザが確認するための処理なので省略が可能である。その場合、画像の保持だけを行う。
【００６３】
Ｓ３の画像分割数の決定において、システムは、画像を分割する（縦，横方向の）数を決定する。ただし、分割数は、ユーザが決定してもよい。その場合は、ここは「分割数の読み込み」がある。
【００６４】
Ｓ４の画像分割数の保持において、システムは、決定した（読み込んだ）画像分割数を保持する。
【００６５】
Ｓ５の基準位置の決定において、システムは、画像を入替える基準位置を決定する。ただし、基準位置はユーザが決定してもよい。その場合、ここは「基準位置の読み込み」である。
【００６６】
Ｓ６の基準位置の保持において、システムは、決定した（「読み込んだ」）基準位置を保持する。
【００６７】
Ｓ７の画像の分割において、システムは、保持している画像分割数に従い画像を分割する。
【００６８】
Ｓ８の全分割画像の表示おいて、システムは、分割した画像を全て表示する。
【００６９】
Ｓ９の基準位置の表示において、システムは、基準位置をユーザが確認できるように表示する。（カーソルを表示する等）
Ｓ１０の入力待ちにおいて、システムはユーザのキー入力を受け付け可能な状態にする。
【００７０】
Ｓ１１の入力キー判定において、入力が決定キーでするか方向キーであるかを判定する。決定キーである場合にはＳ１６のパスワードの生成ステップにおいてパスワードを生成する。方向キーである場合にはＳ１２に移動する。
【００７１】
Ｓ１２の移動判定において、移動可能かどうかを判定し、移動可能である場合にはＳ１３の入力キー情報の保持に移行し、移動可能でない場合にはＳ１０のステップに戻る。
【００７２】
Ｓ１３の入力キー情報の保持において、システムはユーザのキー入力情報を保持する。
【００７３】
Ｓ１４の分割画像の入替えにおいて、システムは、基準位置の画像と方向先の分割画像を入れ替える。
【００７４】
Ｓ１５の入替え後の状態表示において、システムは、画像を入替えた後の状態を表示する。そして、ステップＳ１０に戻る。
【００７５】
Ｓ１６のパスワードの生成において、パスワードは、基準位置を動かした順番や最終的な配置を利用して生成する。
【００７６】
図１２は、パスワード認証時の動作を示すフローチャートである。このフローは比較用のパスワードを生成するためのものであり、比較用のパスワードは図１１に示すと同一のスキップで進行する。このため、Ｓ２１−Ｓ３６はＳ１−Ｓ１６に対応している。Ｓ２１−Ｓ３６によって比較用のパスワードが生成される。
【００７７】
認証用のパスワードと比較用のパスワードの同一性が判定される。Ｓ３７において、パスワード確認がなされる。両パスワードに同一性が認められず、パスワードが正しくないと判定されると、Ｓ３８のエラー処理を行う。Ｓ３８のエラー処理においてエラーメッセージの表示を行う。その後、再び入力待ちＳ３０になってもよい。
【００７８】
パスワード確認Ｓ３７で正しいと判定され、あるいはエラー処理Ｓ３８がなされると終了する。
【００７９】
上述のフローにおいて、画像に対応したパスワードが生成されなければ認証は失敗する。また、どの画像についてパスワードを認定しているのかユーザ以外には分からないために安全性がある。
【００８０】
ユーザが任意の分割数を決定するようにすると、その情報もパスワードの一部として機能するため、安全性を高めるのに役立つ。ユーザが基準値について指定した場合、その情報もパスワードの一部として機能するため、安全性向上に役立つ。
【００８１】
以上のように、本実施例によれば、モバイル端末装置の操作に不慣れなユーザでも簡単にパスワードを生成し入力することができる。従来では０〜９の１０個のキーから選択して入力することが必要であったが、本実施例によれば、携帯電話機の場合には４つの方向のキー（上下左右）を操作すれば足りＰＤＡではタップするだけでパスワードを生成し入力することができる。
【００８２】
携帯電話機において、十字キーの操作のみでパスワードを生成することができ、デバイスに依存しない。
【００８３】
画像を用いたパスワード生成、認証とすることができ、パスワード自体を記憶しておかなくても操作手順の記憶は容易であるため直感的にパスワードを生成することができる。
【図面の簡単な説明】
【００８４】
【図１】本発明の実施例の概略を示す図。
【図２】図１に示す図を明確にするために外形線で図１の内容を示す図。
【図３】本発明の実施例の機能図。
【図４】パスワード生成のためのステップ図。
【図５】入替え終了後のパスワード画像図。
【図６】認証のためのステップ図。
【図７】分割画像の変形例を示す図。
【図８】画像情報のデータ構造図。
【図９】パスワード情報テーブルのデータ構造図。
【図１０】入替え処理によってパスワードが生成される過程を示す図。
【図１１】パスワード登録時の動作を示すフローチャート図。
【図１２】パスワード認証時の動作を示すフローチャート図。
【符号の説明】
【００８５】
１…携帯電話機、２…入力画像（画面）、３…パスワード、１１…入力制御手段（機能）、１２…画像処理手段（機能）、１３…画像表示手段、１４…画像分割表示手段、１５…分割画像入替処理手段、１６…登録手段、１７…パスワード生成手段（機能）、１８…パスワード認証手段（機能）、１９…パスワード発信手段（機能）、２０…記憶手段（機能）。
【図１】
2007094682.tif 000003
【図２】
2007094682.tif 000004
【図３】
2007094682.tif 000005
【図４】
2007094682.tif 000006
【図５】
2007094682.tif 000007
【図６】
2007094682.tif 000008
【図７】
2007094682.tif 000009
【図８】
2007094682.tif 000010
【図９】
2007094682.tif 000011
【図１０】
2007094682.tif 000012
【図１１】
2007094682.tif 000013
【図１２】
2007094682.tif 000014